(57)【要約】【課題】  受信位置などに関係なく、実際受信可能なチャネルの番組情報を提供するこによって、使用者の便宜性を向上させることができるディスプレイ装置、サーバー、及びその制御方法を提供する。【解決手段】  このディスプレイ装置は、所定チャネルの放送信号を処理する信号処理部と、前記処理された放送信号に基づいて映像を表示するディスプレイ部と、サーバーと通信する通信部と、前記サーバーから複数の放送地域の統合チャネルのリストを受信し、前記統合チャネルと、現在放送地域で受信可能なチャネルとが一致するか否かを判断し、前記統合チャネルのうち、前記受信可能なチャネルと一致するチャネルの番組情報を提供するように制御する制御部と、を備える。【選択図】      図１
2014155218.tif 000002
【特許請求の範囲】
【請求項１】
所定チャネルの放送信号を処理する信号処理部と、
前記処理された放送信号に基づいて映像を表示するディスプレイ部と、
サーバーと通信する通信部と、
前記サーバーから複数の放送地域の統合チャネルのリストを受信し、前記統合チャネルと、現在放送地域で受信可能なチャネルとが一致するか否かを判断し、前記統合チャネルのうち、前記受信可能なチャネルと一致するチャネルの番組情報を提供するように制御する制御部と、
を備える、ディスプレイ装置。
【請求項２】
前記制御部は、ＤＶＢトリプレット（Ｄｉｇｉｔａｌ  Ｖｉｄｅｏ  Ｂｒｏａｄｃａｓｔｉｎｇ  ｔｒｉｐｌｅｔ）情報を用いて、前記統合チャネルと前記受信可能なチャネルとが一致するか否かを判断する、請求項１に記載のディスプレイ装置。
【請求項３】
前記制御部は、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）におけるメジャー番号、マイナー番号及びＰＴＣ（Ｐｈｙｓｉｃａｌ  Ｔｒａｎｓｍｉｓｓｉｏｎ  Ｃｈａｎｎｅｌ）の情報を用いて、前記統合チャネルと前記受信可能なチャネルとが一致するか否かを判断する、請求項１に記載のディスプレイ装置。
【請求項４】
前記制御部は、前記統合チャネルのうち、前記受信可能なチャネルと一致するチャネルの番組情報を前記サーバーから受信し、該受信した番組情報を提供するように制御する、請求項１に記載のディスプレイ装置。
【請求項５】
所定チャネルの放送信号に基づいて映像を表示するディスプレイ装置の制御方法であって、
サーバーから複数の放送地域の統合チャネルのリストを受信するステップと、
前記統合チャネルと、現在放送地域で受信可能なチャネルとが一致するか否かを判断するステップと、
前記統合チャネルのうち、前記受信可能なチャネルと一致するチャネルの番組情報を提供するステップと、
を含む、ディスプレイ装置の制御方法。
【請求項６】
前記判断するステップは、ＤＶＢトリプレット情報を用いて、前記統合チャネルと前記受信可能なチャネルとが一致するか否かを判断するステップを含む、請求項５に記載のディスプレイ装置の制御方法。
【請求項７】
前記判断するステップは、ＡＴＳＣにおけるメジャー番号、マイナー番号及びＰＴＣの情報を用いて、前記統合チャネルと前記受信可能なチャネルとが一致するか否かを判断するステップを含む、請求項５に記載のディスプレイ装置の制御方法。
【請求項８】
前記提供するステップは、前記統合チャネルのうち、前記受信可能なチャネルと一致するチャネルの番組情報を前記サーバーから受信し、該受信した番組情報を提供するステップを含む、請求項５に記載のディスプレイ装置の制御方法。
【請求項９】
ディスプレイ装置と通信する通信部と、
放送信号のチャネルに関する情報を保存する保存部と、
複数の放送地域の統合チャネルのリストを生成し、該生成された統合チャネルのリストをディスプレイ装置に伝送するように制御する制御部と、
を備える、サーバー。
【請求項１０】
前記制御部は、前記複数の放送地域で放送されるチャネルの和集合である前記統合チャネルのリストを生成する、請求項９に記載のサーバー。
【請求項１１】
前記統合チャネルのリストは、ＤＶＢトリプレット情報を含む、請求項９に記載のサーバー。
【請求項１２】
前記統合チャネルのリストは、ＡＴＳＣにおけるメジャー番号、マイナー番号及びＰＴＣの情報を含む、請求項９に記載のサーバー。
【請求項１３】
前記制御部は、前記統合チャネルのうち、前記ディスプレイ装置の現在放送地域で受信可能なチャネルと一致するチャネルの番組情報を前記ディスプレイ装置に伝送するように制御する、請求項９に記載のサーバー。
【請求項１４】
放送信号のチャネルに関する情報を提供するサーバーの制御方法であって、
複数の放送地域の統合チャネルのリストを生成するステップと、
前記生成された統合チャネルのリストをディスプレイ装置に伝送するステップと、
を含む、サーバーの制御方法。
【請求項１５】
前記生成するステップは、前記複数の放送地域で放送されるチャネルの和集合である前記統合チャネルのリストを生成するステップを含む、請求項１４に記載のサーバーの制御方法。
【発明の詳細な説明】
【技術分野】
【０００１】
本発明は、ディスプレイ装置、サーバー、及びその制御方法に係り、放送地域別に放送される所定チャネルの放送信号を受信して映像を表示するディスプレイ装置、当該チャネルに関する情報を提供するサーバー、及びその制御方法に関する。
【背景技術】
【０００２】
ＴＶのようなディスプレイ装置は、放送信号を受信して映像を表示する。ディスプレイ装置は、複数のチャネルの中で使用者により選択されたいずれか一チャネルの放送信号を受信する。ディスプレイ装置は、インターネットなどのようなネットワークで接続されたサーバーから、例えばＥＰＧのような、チャネルの番組に関する情報（以下、「番組情報」という）を受信し、それを使用者に提供してもよい。
【０００３】
一方、放送信号は国家などの地域（以下、「放送地域」という）別に放送されることがある。ディスプレイ装置は、ディスプレイ装置が位置している放送地域で放送される放送信号を受信できる。番組情報も放送地域別にサーバーで管理されてよく、ディスプレイ装置は、設定された放送地域の番組情報をサーバーから受信してそれを提供すればよい。
【０００４】
ところが、ディスプレイ装置は、受信位置、受信感度などによって当該放送地域の一部チャネルの放送信号を正しく受信しないこともあり、或いは隣接した他の放送地域の一部チャネルの放送信号をさらに受信することもある。しかし、当該放送地域の番組情報は、正しく受信していないチャネルの情報を含んでいるか、或いはさらに受信したチャネルに関する情報を含んでいないため、使用者に混同や不便をもたらすことがあった。
【発明の概要】
【発明が解決しようとする課題】
【０００５】
したがって、本発明の目的は、受信位置、受信感度などに関係なく、実際に受信可能なチャネルの番組情報を提供することによって、使用者の便宜性を向上させることができるディスプレイ装置、サーバー、及びその制御方法を提供することにある。
【課題を解決するための手段】
【０００６】
本発明の上記目的は、所定チャネルの放送信号を処理する信号処理部と、前記処理された放送信号に基づいて映像を表示するディスプレイ部と、サーバーと通信する通信部と、前記サーバーから複数の放送地域の統合チャネルのリストを受信し、前記統合チャネルと、現在放送地域で受信可能なチャネルとが一致するか否かを判断し、前記統合チャネルのうち、前記受信可能なチャネルと一致するチャネルの番組情報を提供するように制御する制御部と、を備えるディスプレイ装置によって達成可能である。
【０００７】
前記制御部は、ＤＶＢトリプレット（Ｄｉｇｉｔａｌ  Ｖｉｄｅｏ  Ｂｒｏａｄｃａｓｔｉｎｇ  ｔｒｉｐｌｅｔ）情報を用いて、前記統合チャネルと前記受信可能なチャネルとが一致するか否かを判断するとよい。
【０００８】
前記制御部は、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）におけるメジャー番号、マイナー番号及びＰＴＣ（Ｐｈｙｓｉｃａｌ  Ｔｒａｎｓｍｉｓｓｉｏｎ  Ｃｈａｎｎｅｌ）の情報を用いて、前記統合チャネルと前記受信可能なチャネルとが一致するか否かを判断してもよい。
【０００９】
前記制御部は、前記統合チャネルのうち、前記受信可能なチャネルと一致するチャネルの番組情報を前記サーバーから受信し、該受信された番組情報を提供するように制御するとよい。
【００１０】
本発明の上記目的は、所定チャネルの放送信号に基づいて映像を表示するディスプレイ装置の制御方法であって、サーバーから複数の放送地域の統合チャネルのリストを受信するステップと、前記統合チャネルと、現在放送地域で受信可能なチャネルとが一致するか否かを判断するステップと、前記統合チャネルのうち、前記受信可能なチャネルと一致するチャネルの番組情報を提供するステップと、を含むディスプレイ装置の制御方法によっても達成可能である。
【００１１】
前記判断するステップは、ＤＶＢトリプレット情報を用いて、前記統合チャネルと前記受信可能なチャネルとが一致するか否かを判断するステップを含むとよい。
【００１２】
前記判断するステップは、ＡＴＳＣにおけるメジャー番号、マイナー番号及びＰＴＣの情報を用いて、前記統合チャネルと前記受信可能なチャネルとが一致するか否かを判断するステップを含んでもよい。
【００１３】
前記提供するステップは、前記統合チャネルのうち、前記受信可能なチャネルと一致するチャネルの番組情報を前記サーバーから受信し、該受信した番組情報を提供するステップを含むとよい。
【００１４】
本発明の上記目的は、ディスプレイ装置と通信する通信部と、放送信号のチャネルに関する情報を保存する保存部と、複数の放送地域の統合チャネルのリストを生成し、該生成された統合チャネルのリストをディスプレイ装置に伝送するように制御する制御部と、を備えるサーバーによっても達成可能である。
【００１５】
前記制御部は、前記複数の放送地域で放送されるチャネルの和集合である前記統合チャネルのリストを生成するとよい。
【００１６】
前記統合チャネルのリストは、ＤＶＢトリプレット情報を含むとよい。前記統合チャネルのリストは、ＡＴＳＣにおけるメジャー番号、マイナー番号及びＰＴＣの情報を含んでもよい。
【００１７】
前記制御部は、前記統合チャネルのうち、前記ディスプレイ装置の現在放送地域で受信可能なチャネルと一致するチャネルの番組情報を前記ディスプレイ装置に伝送するように制御するとよい。
【００１８】
本発明の上記目的は、放送信号のチャネルに関する情報を提供するサーバーの制御方法であって、複数の放送地域の統合チャネルのリストを生成するステップと、前記生成された統合チャネルのリストをディスプレイ装置に伝送するステップと、を含むサーバーの制御方法によっても達成可能である。
【００１９】
前記生成するステップは、前記複数の放送地域で放送されるチャネルの和集合である前記統合チャネルのリストを生成するステップを含むとよい。
【００２０】
前記統合チャネルのリストは、ＤＶＢトリプレット情報を含むとよい。
【００２１】
前記統合チャネルのリストは、ＡＴＳＣにおけるメジャー番号、マイナー番号及びＰＴＣの情報を含んでもよい。
【００２２】
サーバーの制御方法は、前記統合チャネルのうち、前記ディスプレイ装置の現在放送地域で受信可能なチャネルと一致するチャネルの番組情報を前記ディスプレイ装置に伝送するステップをさらに含んでもよい。
【００２３】
本発明の上記目的は、所定チャネルの放送信号を処理する信号処理部と、前記処理された放送信号に基づいて映像を表示するディスプレイ部と、複数の放送地域の統合チャネルのリストを管理するサーバーと通信する通信部と、現在放送地域で受信可能なチャネルの情報を前記サーバーに伝送し、前記統合チャネルのうち、前記受信可能なチャネルと一致するチャネルの番組情報を前記サーバーから受信し、該受信した番組情報を提供するように制御する制御部と、を備えるディスプレイ装置によっても達成可能である。
【００２４】
本発明の上記目的は、所定チャネルの放送信号に基づいて映像を表示するディスプレイ装置の制御方法であって、現在放送地域で受信可能なチャネルの情報をサーバーに伝送するステップと、複数の放送地域の統合チャネルのうち、前記受信可能なチャネルと一致するチャネルの番組情報を前記サーバーから受信するステップと、該受信した番組情報を提供するステップと、を含むディスプレイ装置の制御方法によっても達成可能である。
【００２５】
本発明の上記目的は、ディスプレイ装置と通信する通信部と、放送信号のチャネルに関する情報を保存する保存部と、複数の放送地域の統合チャネルのリストを生成し、前記ディスプレイ装置の現在放送地域で受信可能なチャネルの情報を前記ディスプレイ装置から受信し、前記統合チャネルのうち、前記受信可能なチャネルと一致するチャネルの番組情報を前記ディスプレイ装置に伝送するように制御する制御部と、を備えるサーバーによっても達成可能である。
【００２６】
本発明の上記目的は、放送信号のチャネルに関する情報を提供するサーバーの制御方法であって、複数の放送地域の統合チャネルのリストを生成するステップと、ディスプレイ装置の現在放送地域で受信可能なチャネルの情報を前記ディスプレイ装置から受信するステップと、前記統合チャネルのうち、前記受信可能なチャネルと一致するチャネルの番組情報を前記ディスプレイ装置に伝送するステップと、を含むサーバーの制御方法によっても達成できる。
【発明の効果】
【００２７】
上述のように、本発明によれば、受信位置に関係なく、実際受信可能なチャネルの番組情報を提供することによって、使用者の便宜性を向上させることができる。
【図面の簡単な説明】
【００２８】
【図１】本発明の一実施例に係るディスプレイ装置及びサーバーを示す図である。
【図２】本発明の一実施例に係るディスプレイ装置の構成を示す図である。
【図３】本発明の一実施例に係るディスプレイ装置の動作を示すフローチャートである。
【図４】本発明の一実施例に係るサーバーの構成を示す図である。
【図５】本発明の一実施例に係るサーバーの動作を示すフローチャートである。
【図６】本発明の一実施例に係る放送地域と、位置による放送信号の受信の各例を示す図である。
【図７】本発明の一実施例に係る放送地域と、位置による放送信号の受信の各例を示す図である。
【図８】本発明の一実施例に係る放送地域Ａで放送されるチャネルの情報を示す図である。
【図９】本発明の一実施例に係る放送地域Ｂで放送されるチャネルの情報を示す図である。
【図１０】本発明の一実施例に係る放送地域Ａ及び放送地域Ｂの統合チャネルのリストを示す図である。
【図１１】本発明の一実施例に係る統合チャネルと受信可能なチャネルとが一致するか否かを判断する一例を示す図である。
【図１２】本発明の他の実施例に係るディスプレイ装置及びサーバーを示す図である。
【図１３】本発明の他の実施例に係るディスプレイ装置の動作を示すフローチャートである。
【図１４】本発明の他の実施例に係るサーバーの動作を示すフローチャートである。
【発明を実施するための形態】
【００２９】
以下、本発明の一実施例について詳しく説明する。図１は、本発明の一実施例に係るディスプレイ装置及びサーバーを示す。ディスプレイ装置１は、インターネットのようなネットワーク３を介してサーバー２に接続する。ディスプレイ装置１は、ＴＶ、スマートフォン、スマートパッド、ＰＣなど、放送信号に基づいて映像を表示する装置であればよい。サーバー２は、複数の放送地域で放送されるチャネル（以下、「統合チャネル」という）のリストを生成する。ディスプレイ装置１は、サーバー２から統合チャネルのリストを受信し、統合チャネルと実際受信可能なチャネルとが一致するか否かを判断し、統合チャネルのうち、受信可能なチャネルと一致するチャネルの番組情報を使用者に提供する。番組情報は、チャネル名、チャネル番号、番組名、開始時間、終了時間などの情報を含むとよい。ディスプレイ装置１は、ディスプレイ装置１が位置している放送地域の番組情報をサーバー２から受信可能である。ディスプレイ装置１は、使用者の命令に応じて放送地域を設定してよい。放送地域の設定時に、ディスプレイ装置１は、放送地域で視聴可能な番組のプロバイダー（ｐｒｏｖｉｄｅｒ）を使用者に知らせ、ディスプレイ装置１は使用者の命令に応じて特定プロバイダーを選択してもよい。ディスプレイ装置１は、使用者により選択されたプロバイダーが提供する番組情報、例えば、チャネルのリスト、放送スケジュール、関連付加情報などを使用者に知らせてもよい。チャネルのリストは、チャネルラインナップ情報であって、放送地域別に番組のプロバイダーがどのチャネルを提供するかに関する情報を含む。放送スケジュールは、チャネル別／時間帯別に放送される番組の情報を含む。関連付加情報は、各番組のシノプシス、出演陣、ポスターイメージなど、当該番組に関する情報を含む。
【００３０】
図２は、本発明の一実施例に係るディスプレイ装置１の構成を示す。図２を参照すると、ディスプレイ装置１は、信号受信部１１、信号処理部１２、ディスプレイ部１３、通信部１４、及び制御部１７を含んでいる。信号受信部１１は放送信号を受信する。放送信号は、地上波放送、ケーブル放送、衛星放送などの方式で放送されることがある。放送信号は複数のチャネルを有する。信号受信部１１は、複数のチャネルのうち、使用者により選択されたいずれか一チャネルの放送信号を受信する。信号処理部１２は、信号受信部１１に受信された放送信号を、ディスプレイ部１３に映像表示可能となるように処理する。ディスプレイ部１３は、信号処理部１２により処理された放送信号に基づいて映像を表示する。通信部１４はサーバー２と通信する。通信部１４は、制御部１７の制御によってサーバー２から統合チャネルのリストを受信する。
【００３１】
制御部１７は、ディスプレイ装置１の全般を制御する。制御部１７は、制御プログラム、制御プログラムを保存するフラッシュメモリーなどの不揮発性のメモリー、制御プログラムの少なくとも一部をローディングするＲＡＭのような揮発性のメモリー、及びローディングされた制御プログラムを実行するマイクロプロセッサを含むとよい。図３は、制御部１７の制御によるディスプレイ装置１の動作を示すフローチャートである。まず、動作Ｓ３１で、ディスプレイ装置１は、サーバー２から複数の放送地域の統合チャネルのリストを受信する。次に、動作Ｓ３２で、ディスプレイ装置１は、統合チャネルと、現在放送地域で受信可能なチャネルとが一致するか否かを判断する。動作Ｓ３３で、ディスプレイ装置１は、統合チャネルのうち、受信可能なチャネルと一致するチャネルの番組情報を提供する。
【００３２】
図２を再び参照すると、ディスプレイ装置１は、ディスプレイ装置１の動作に必要なデータや情報を保存する保存部１５、及び使用者の命令を受信する命令受信部１６をさらに含んでいる。
【００３３】
図４は、本発明の一実施例に係るサーバー２の構成を示す。図４を参照すると、サーバー２は、通信部２１、保存部２３、及び制御部２２を含んでいる。通信部２１はディスプレイ装置１と通信する。通信部２１は、制御部２２の制御によってディスプレイ装置１に統合チャネルのリストを伝送する。保存部２３は、統合チャネルのリスト２３１を保存する。
【００３４】
制御部２２は、サーバー２の全般を制御する。制御部２２は、制御プログラム、制御プログラムを保存するフラッシュメモリーなどの不揮発性のメモリー、制御プログラムの少なくとも一部をローディングするＲＡＭのような揮発性のメモリー、及びローディングされた制御プログラムを実行するマイクロプロセッサを含むとよい。図５は、制御部２２の制御によるサーバー２の動作を示すフローチャートである。まず、動作Ｓ５１で、サーバー２は、複数の放送地域の統合チャネルのリストを生成する。次に、動作Ｓ５２で、サーバー２は、生成された統合チャネルのリストをディスプレイ装置１に伝送する。
【００３５】
サーバー２は、ディスプレイ装置１から要請がある時に統合チャネルのリストをディスプレイ装置１に伝送すればよい。ディスプレイ装置１は、周期的に、特定イベントが発生した時に、或いは使用者の命令がある時に、統合チャネルのリストを伝送することをサーバー２に要請すればよい。ディスプレイ装置１は、設定された放送地域をサーバー２に知らせて、放送地域に対応する統合チャネルのリストの伝送を要請し、サーバー２は、複数の放送地域の統合チャネルのリストのうち、ディスプレイ装置１の放送地域に対応する統合チャネルのリストをディスプレイ装置１に伝送してもよい。
【００３６】
図６は、放送地域と、位置による放送信号の受信の一例を示す。図６で、符号６１は放送地域Ａを表す。放送地域Ａでは、ＣＨ−１からＣＨ−１０までの１０個のチャネルの放送信号が放送されるとした。ＣＨ−１からＣＨ−５までの５個のチャネルは、例えば、全域的に放送されるチャネルであり、ＣＨ−６からＣＨ−１０までの５個のチャネルは、地域的に放送されるチャネルであるとした。放送地域Ａでは、位置によって放送信号の受信が異なってくることがある。例えば、第１ディスプレイ装置ＴＶ１は、ＣＨ−１からＣＨ−１０までの全チャネルの放送信号を受信する反面、第２ディスプレイ装置ＴＶ２は、全体１０個のチャネルのうち８個のチャネルのみを受信し、ＣＨ−４とＣＨ−６の放送信号は受信できないことがある。
【００３７】
図７は、放送地域と、位置による放送信号の受信の他の例を示す。符号７１及び７２は、隣接する２個の放送地域Ａ及びＢをそれぞれ表す。放送地域Ａ(７１)ではＣＨ−１からＣＨ−１０までの１０個のチャネルの放送信号が放送されるとした。放送地域Ｂ(７２)では、ＣＨ−１からＣＨ−５までのチャネルと、ＣＨ−１１からＣＨ−１５までのチャネルの放送信号が放送されるとした。２個の放送地域Ａ及びＢ（７１及び７２）は重なり合う重畳領域７３を有することがある。２個の放送地域Ａ及びＢ（７１及び７２）の重畳領域７３に位置する第３ディスプレイ装置ＴＶ３は、放送地域Ａ（７１）で放送されるチャネルの放送信号、放送地域Ｂ（７２）で放送されるチャネルの放送信号の両方を受信する場合がある。例えば、第３ディスプレイ装置ＴＶ３は、ＣＨ−１からＣＨ−４までのチャネルと、ＣＨ−６からＣＨ−９までのチャネルと、ＣＨ−１１からＣＨ−１４までのチャネルの放送信号を受信することがある。
【００３８】
図８は、放送地域Ａで放送されるチャネルの情報を示す。本実施例では、チャネルの情報として、ＤＶＢトリプレット（Ｄｉｇｉｔａｌ  Ｖｉｄｅｏ  Ｂｒｏａｄｃａｓｔｉｎｇ  ｔｒｉｐｌｅｔ）情報を含む。ＤＶＢトリプレット情報は、各チャネルの固有の情報であって、オリジナルネットワークＩＤ（ｏｒｉｇｉｎａｌ  ｎｅｔｗｏｒｋ  ＩＤ；ＯＮＩＤ）、トランスポートストリームＩＤ（ｔｒａｎｓｐｏｒｔ  ｓｔｒｅａｍ  ＩＤ；ＴＳＩＤ）、及びサービスＩＤ（ｓｅｒｖｉｃｅ  ＩＤ；ＳＩＤ）を含んでよい。図８は、ＣＨ−１からＣＨ−１０までの各チャネルのＤＶＢトリプレット情報を示している。図９は、放送地域Ｂで放送されるチャネルの情報を示す。具体的に、図９は、ＣＨ−１からＣＨ−５までの各チャネルと、ＣＨ−１１からＣＨ−１５までの各チャネルのＤＶＢトリプレット情報を示している。
【００３９】
サーバー２は、放送地域Ａ及び放送地域Ｂの統合チャネルのリストを生成可能である。統合チャネルのリストは、放送地域Ａで放送されるチャネルと、放送地域Ｂで放送されるチャネルとの和集合とすればよい。サーバー２は、放送地域Ａ及び放送地域Ｂの統合チャネルのリストを生成する際、図８及び図９に示したような、放送地域Ａ及び放送地域ＢのＤＶＢトリプレット情報を利用するとよい。図１０は、本発明の一実施例に係る放送地域Ａ及び放送地域Ｂの統合チャネルのリストを示す。同図に示すように、放送地域Ａ及び放送地域Ｂの統合チャネルのリストは、ＣＨ−１からＣＨ−１５までの１５個のチャネルのラインナップ情報と、各チャネルに対応するＤＶＢトリプレット情報を含むとよい。サーバー２は、各チャネルのＤＶＢトリプレット情報を別のサーバー（図示せず）からメタデータの形態で受信してもよい。メタデータは、ＥＰＧのように番組情報に関するデータで、各チャネルのＤＶＢトリプレット情報を含む。サーバー２は周期的にメタデータを受信してもよい。サーバー２は放送地域別にメタデータを受信してもよい。サーバー２は、受信したメタデータをディスプレイ装置１に適した形態に加工してもよい。
【００４０】
サーバー２は、生成された統合チャネルのリストを放送地域Ａ或いは放送地域Ｂのディスプレイ装置１に伝送する。統合チャネルのリストには各チャネルのＤＶＢトリプレット情報が含まれている。ディスプレイ装置１は、サーバー２から受信した統合チャネルのリストを用いて、統合チャネルと実際受信可能なチャネルとが一致するか否かを判断する。図１１には、統合チャネルと受信可能なチャネルとが一致するか否かを判断する一例を示す。図１１で、符号１１０１は統合チャネルのリストを、符号１１０２は実際受信可能なチャネルのリストを表す。統合チャネルのリスト１１０１は、ＣＨ−１からＣＨ−１５までの１５個のチャネルを含んでいるが、実際受信可能なチャネルのリスト１１０２は、ＣＨ−１からＣＨ−４までのチャネルと、ＣＨ−６からＣＨ−９までのチャネルと、ＣＨ−１１でＣＨ−１４までのチャネルを含んでいる。実際受信可能なチャネルのリスト１１０２は、ディスプレイ装置１が信号受信部１１で受信した放送信号から構成されたチャネルマップに該当する。実際受信可能なチャネルのリスト１１０２にも、各チャネルのＤＶＢトリプレット情報が含まれている。実際受信可能なチャネルのリスト１１０２のＤＶＢトリプレット情報は、実際受信される放送信号に乗せられている。ディスプレイ装置１は、統合チャネルのリスト１１０１と実際受信可能なチャネルのリスト１１０２のそれぞれのＤＶＢトリプレット情報を用いて両者が一致するか否かを判断すればよい。しかるに、説明の便宜のために本明細書ではチャネルを「ＣＨ−１」のように共通の表現としたが、実際の放送信号では放送のプロバイダーによってチャネルのラインナップ情報（例えば、チャネル名、チャネル番号など）がそれぞれ異なることがあるため、ディスプレイ装置１はチャネルのラインナップ情報のみではチャネルを識別したり、他のチャネルとの一致を判別することが難しい場合もある。そのため、ディスプレイ装置１は各チャネルの固有情報であるＤＶＢトリプレット情報を用いて、実際受信可能なチャネルを識別又は特定するわけである。図１１を参照すると、ディスプレイ装置１は、統合チャネルのリスト１１０１のチャネルのうち、実際受信可能なチャネルのみからなる新しいリスト１１０３を生成できる。換言すれば、新しいリスト１１０３は、統合チャネルのリスト１１０１から、実際には受信されないチャネルＣＨ−５、ＣＨ−１０、ＣＨ−１５を除外したものとなる。
【００４１】
ディスプレイ装置１は、実際受信可能なチャネルのみから構成された新しいリスト１１０３に基づいて番組情報を使用者に提供可能となる。ディスプレイ装置１は、新しいリスト１１０３の番組情報をサーバー２から受信すればよい。これにより、使用者にとっては実際受信されるチャネルと正確に一致する番組情報を受け取ることが可能になり、混同や不便を解消することができる。
【００４２】
本実施例ではチャネルの一致を判断するのにＤＶＢトリプレット情報を用いるとしたが、本発明はこれに限定されず、他の情報が用いられてもよい。例えば、チャネルの一致の判断、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）におけるメジャー番号、マイナー番号、及びＰＴＣ（Ｐｈｙｓｉｃａｌ  Ｔｒａｎｓｍｉｓｓｉｏｎ  Ｃｈａｎｎｅｌ）の情報が用いられてもよい。
【００４３】
図１２は、本発明の他の実施例に係るディスプレイ装置及びサーバーを示す。図１２に示すディスプレイ装置１ａ及びサーバー２ａについて、図１乃至図１１を参照して説明したディスプレイ装置１及びサーバー２と同一又は類似の構成についての説明は省略する。ディスプレイ装置１ａは、インターネットのようなネットワーク３を介してサーバー２ａに接続する。ディスプレイ装置１ａは、実際受信可能なチャネルの情報をサーバー２ａに伝送する。サーバー２ａは、複数の放送地域の統合チャネルのリストを生成し、統合チャネルと受信可能なチャネルとが一致するか否かを判断する。サーバー２ａは、受信可能なチャネルの番組情報をディスプレイ装置１ａに伝送する。ディスプレイ装置１ａは、受信可能なチャネルの番組情報を提供する。
【００４４】
図１３は、ディスプレイ装置１ａの動作を示すフローチャートである。まず、動作Ｓ１３１で、ディスプレイ装置１ａは、現在放送地域で受信可能なチャネルの情報をサーバー２ａに伝送する。次に、動作Ｓ１３２で、ディスプレイ装置１ａは、統合チャネルのうち、受信可能なチャネルと一致するチャネルの番組情報を、サーバー２ａから受信する。次に、動作Ｓ１３３で、ディスプレイ装置１ａは、統合チャネルのうち、受信可能なチャネルと一致するチャネルの番組情報を使用者に提供する。
【００４５】
図１４は、サーバー２ａの動作を示すフローチャートである。まず、動作Ｓ１４１で、サーバー２ａは、複数の放送地域の統合チャネルのリストを生成する。次に、動作Ｓ１４２で、サーバー２ａは、ディスプレイ装置１ａから現在放送地域で受信可能なチャネルの情報を受信する。次に、動作Ｓ１４３で、サーバー２ａは、統合チャネルと、ディスプレイ装置１ａが受信可能なチャネルとが一致するか否かを判断し、統合チャネルのうち、ディスプレイ装置１ａが受信可能なチャネルと一致するチャネルの番組情報を、ディスプレイ装置１ａに伝送する。
【００４６】
以上、好適な実施例を挙げて本発明について詳しく説明してきたが、本発明はこれに限定されるものではなく、特許請求の範囲内で様々に実施されてもよい。
【符号の説明】
【００４７】
１      ディスプレイ装置
２      サーバー
１１    信号受信部
１２    信号処理部
１３    ディスプレイ部
１４    通信部
１５    保存部
１６    命令受信部
１７    制御部
２１    通信部
２２    制御部
２３    保存部
【図１】
2014155218.tif 000003
【図２】
2014155218.tif 000004
【図３】
2014155218.tif 000005
【図４】
2014155218.tif 000006
【図５】
2014155218.tif 000007
【図８】
2014155218.tif 000008
【図９】
2014155218.tif 000009
【図１０】
2014155218.tif 000010
【図１１】
2014155218.tif 000011
【図１２】
2014155218.tif 000012
【図１３】
2014155218.tif 000013
【図１４】
2014155218.tif 000014
【図６】
2014155218.tif 000015
【図７】
2014155218.tif 000016